(57)【要約】【課題】ハイビジョン画質の映像と標準画質の映像の記録を行うことが可能な撮像装置を使用して映像記録を行う際に、ユーザが基本とする記録モードで撮像を行う際の操作性を向上できるようにする。【解決手段】記録媒体が取り出された場合に、前記映像信号を前記記録媒体に記録する記録モードとして、ＨＤ記録モードまたはＳＤ記録モードの何れを基本解像度の記録モードとして選択するかユーザに選択させるための基本解像度選択手段と、前記記録媒体が取り出された場合に、前記基本解像度選択手段により選択された基本解像度に記録モードを設定する基本解像度設定手段とを設け、複数のフォーマットで記録可能な記録媒体を装着する毎に、ユーザがフォーマットの選択やカメラモードの切替を行う必要を無くすことができるようにする。【選択図】図１
2008160185.tif 000002
【特許請求の範囲】
【請求項１】
撮像手段で生成された映像信号を記録媒体に記録する記録モードとして、高精細映像信号を記録するＨＤ記録モードと標準解像度映像信号を記録するＳＤ記録モードとを備える撮像装置であって、
前記記録媒体が取り出された場合に設定すべき記録モードとして、前記ＨＤ記録モードまたはＳＤ記録モードの何れかを任意に選択させるための解像度選択手段と、
前記記録媒体の取り出し指示があった場合に、前記記録モードを、前記解像度選択手段により選択された記録モードに設定する解像度設定手段とを備えることを特徴とする撮像装置。
【請求項２】
前記ＳＤ記録モードにおいては、前記ＨＤ記録モードにおける記録フォーマットとは異なる記録フォーマットに従って初期化された前記記録媒体に対して前記標準解像度映像信号を記録し、装着された前記記録媒体が未フォーマット状態、前記高精細映像信号の記録フォーマットに従う初期化済み状態、前記標準解像度映像信号の記録フォーマットに従う初期化済み記録媒体の何れであるのかを判断する媒体種類判断手段と、
前記装着された記録媒体が前記基本解像度設定手段により設定された記録モードにて記録すべき映像信号が記録できない状態であった場合に、その旨を警告する警告手段とを備えたことを特徴とする請求項１に記載の撮像装置。
【請求項３】
撮像手段で撮像された映像から、解像度の異なる複数の映像信号を生成する映像信号生成手段と、前記解像度の異なる複数の映像信号のうちの何れかを任意に選択する解像度選択手段と、前記映像信号生成手段で生成された映像信号を記録媒体に記録する記録手段と、前記記録媒体の状態を取得する状態取得手段とを備えた撮像装置であって、
前記記録媒体が取り外されたこと、あるいは記録媒体が装着されていないことが前記状態取得手段によって検出された場合に、前記基本解像度選択手段により選択された解像度の映像信号を生成するように前記映像信号生成手段を制御する記録モード制御手段を備えることを特徴とする撮像装置。
【請求項４】
前記記録媒体は光学ディスクであり、光学ディスクのフォーマットを行う初期化手段を備え、
前記初期化手段は、ブランクディスクが装着された場合は、最大解像度の映像信号を記録するためのフォーマットで前記光学ディスクの初期化を行うことを特徴とする請求項３に記載の撮像装置。
【請求項５】
撮像手段で撮像された映像から、それぞれ解像度の異なる映像信号を生成する複数の映像信号生成手段と、前記複数の映像信号生成手段のうちから一つの映像信号生成手段を選択する選択手段と、前記複数の映像信号生成手段のうち、基本となる解像度の映像信号を生成する映像信号生成手段を選択する基本解像度選択手段と、前記基本解像度選択手段により選択された映像信号生成手段で生成された映像信号を記録する記録媒体と、前記選択手段で選択された映像信号生成手段で生成された映像信号を前記記録媒体に記録する記録手段と、前記記録媒体の状態を取得する状態取得手段とを備えた撮像装置であって、
前記記録媒体が取り外されたこと、あるいは記録媒体が装着されていないことが前記状態取得手段により検出された場合に、前記選択手段は前記基本解像度選択手段により選択された解像度の映像信号を生成する映像信号生成手段を選択するように制御する記録モード制御手段を備えることを特徴とする撮像装置。
【請求項６】
撮像手段で撮像された映像から映像信号を生成する映像信号生成手段と、前記映像信号生成手段によって生成された映像信号を、解像度の異なる複数の圧縮方式で圧縮する映像圧縮手段と、前記解像度の異なる複数の圧縮方式のうち、基本となる解像度の圧縮方式を選択する基本解像度選択手段と、前記映像圧縮手段によって圧縮された映像信号を記録する記録媒体と、前記選択手段で選択された映像圧縮手段により圧縮された映像信号を前記記録媒体に記録する記録手段と、前記記録媒体の状態を取得する状態取得手段とを備えた撮像装置であって、
前記記録媒体が取り外されたこと、あるいは記録媒体が装着されていないことが前記状態取得手段により検出された場合に、前記基本解像度選択手段により選択された解像度の圧縮方式で映像信号を圧縮するように前記映像圧縮手段を制御する記録モード制御手段を備えることを特徴とする撮像装置。
【請求項７】
撮像手段で撮像された映像から映像信号を生成する映像信号生成手段と、前記映像信号生成手段によって生成された映像信号を、異なる解像度の圧縮方式でそれぞれ圧縮する複数の映像圧縮手段と、前記複数の映像圧縮手段の中から一つの映像圧縮手段を選択する選択手段と、前記複数の映像圧縮手段の中から基本となる映像圧縮手段を選択する基本解像度選択手段と、前記映像圧縮手段により圧縮された映像信号を記録する記録媒体と、前記選択手段で選択された映像圧縮手段により圧縮された映像信号を前記記録媒体に記録する記録手段と、前記記録媒体の状態を取得する状態取得手段とを備えた撮像装置であって、
前記記録媒体が取り外されたこと、あるいは記録媒体が装着されていないことが前記状態取得手段により検出された場合に、前記選択手段は前記基本解像度選択手段により選択された解像度の映像信号を生成する映像圧縮手段を選択するように前記選択手段を制御する記録モード制御手段を備えることを特徴とする撮像装置。
【請求項８】
撮像工程で生成された映像信号を記録媒体に記録する記録モードとして、高精細映像信号を記録するＨＤ記録モードと標準解像度映像信号を記録するＳＤ記録モードとを備える撮像装置の制御方法であって、
前記記録媒体が取り出された場合に設定すべき記録モードとして、前記ＨＤ記録モードまたはＳＤ記録モードの何れかを任意に選択させるための解像度選択工程と、
前記記録媒体の取り出し指示があった場合に、前記記録モードを、前記解像度選択工程において選択された記録モードに設定する解像度設定工程とを備えることを特徴とする撮像装置の制御方法。
【請求項９】
前記ＳＤ記録モードにおいては、前記ＨＤ記録モードにおける記録フォーマットとは異なる記録フォーマットに従って初期化された前記記録媒体に対して前記標準解像度映像信号を記録し、装着された前記記録媒体が未フォーマット状態、前記高精細映像信号の記録フォーマットに従う初期化済み状態、前記標準解像度映像信号の記録フォーマットに従う初期化済み記録媒体の何れであるのかを判断する媒体種類判断工程と、
前記装着された記録媒体が前記基本解像度設定工程において設定された記録モードにて記録すべき映像信号が記録できない状態であった場合に、その旨を警告する警告工程とを備えたことを特徴とする請求項８に記載の撮像装置の制御方法。
【請求項１０】
撮像工程で生成された映像信号を記録媒体に記録する記録モードとして、高精細映像信号を記録するＨＤ記録モードと標準解像度映像信号を記録するＳＤ記録モードとを備える撮像装置を制御する工程をコンピュータに実行させるプログラムであって、
前記記録媒体が取り出された場合に設定すべき記録モードとして、前記ＨＤ記録モードまたはＳＤ記録モードの何れかを任意に選択させるための解像度選択工程と、
前記記録媒体の取り出し指示があった場合に、前記記録モードを、前記解像度選択工程において選択された記録モードに設定する解像度設定工程とをコンピュータに実行させることを特徴とするプログラム。
【請求項１１】
請求項１０に記載のプログラムを記憶媒体したことを特徴とするコンピュータ読み取り可能な記録媒体。
【発明の詳細な説明】
【技術分野】
【０００１】
本発明は撮像装置及び撮像装置の制御方法に関し、特に、光学ディスクをはじめとするフォーマットを必要とする記録媒体に対して映像信号、音声信号を記録するために用いて好適な技術に関する。
【背景技術】
【０００２】
従来、映像と音声を記録するカムコーダの記録媒体として、光学ディスク（ディスク）を利用したビデオカムコーダ（以下、ディスクカムコーダ）が知られている。こうしたディスクカムコーダでは、物理フォーマットの違いを検出し、その種類に応じて異なる記録方式で記録するためのディスクフォーマット処理を行う技術がある（例えば、特許文献１を参照）。
【０００３】
ディスクカムコーダのディスクとしては、ＤＶＤ−Ｒ、ＤＶＤ−ＲＷなど様々な種類がある。例えば、ＤＶＤ−Ｒではディスクフォーマットとしてビデオフォーマット（以下、Ｖｉｄｅｏフォーマット）、ＤＶＤ−ＲＷであれば、Ｖｉｄｅｏフォーマットもしくはビデオレコーディングフォーマット（以下、ＶＲフォーマット）を選択可能である。
【０００４】
また、ディスクへ記録する際には、記録データをファイルとして扱うため、ファイルシステムが必要であり、フォーマットの際はファイルフォーマット処理も必要となる。光学ディスクは、ＵＤＦ（Universal Disk Format）形式のファイルシステムを採用しており、ＤＶＤ−Ｒ、ＤＶＤ−ＲＷはＵＤＦ２．０に対応している。
【０００５】
このように、ディスクカムコーダでは、映像や音声をメディアへ記録する前に、ディスクフォーマット処理とファイルフォーマット処理をあらかじめ行って、ディスクへのデータ書き込みを可能にしておく必要がある。
【０００６】
また、近年、アナログテレビ放送に代わる、デジタル放送が開始された。デジタル放送では、従来の標準解像度（ＳＤ）の画像だけでなく、高精細（ＨＤ）画像の番組が放送される。そのため、この様なＨＤ画像を表示可能な高精細ＴＶ受信機が登場し、一般家庭に迅速に普及し始めている。
【０００７】
【特許文献１】特開２００３−７８８７４号公報
【発明の開示】
【発明が解決しようとする課題】
【０００８】
前述のように、ＨＤ画像を表示可能なＴＶが普及した結果、テレビ放送だけでなく、ビデオカメラでＨＤ画像が撮影できることが望まれている。
ＨＤ画像を前述の如きディスクメディアに記録する場合、ディスクカムコーダでは携帯性の良さや本体のさらなる小型化を考慮すると、従来の８ｃｍサイズのディスクより大きなサイズのディスクの利用は難しい。
【０００９】
そのため、例えばＭＰＥＧ４−ＡＶＣ（Ｈ．２６４）規格のように、圧縮効率の高いコーデックを使い、ＨＤ画像を記録する為のＡＶＣＨＤ規格が提案された。これにより、データ量の増大を抑えること、及び従来サイズの記憶容量の小さいディスクにＨＤ映像を記録できるようにすることの両方を可能にしている。
【００１０】
しかしながら、前述したＡＶＣＨＤ規格によるディスクフォーマット及びファイルフォーマットは、従来のＤＶＤと互換性がなかった。このため、一枚のディスクにＨＤ画像とＳＤ画像を混在させて記録することができなかった。
また、現在では、ＤＶＤビデオプレーヤが広く普及しており、ビデオカメラでは、ＨＤ画像だけでなく、ＳＤ画像も撮影できることが望ましい。
したがって、ブランクディスクを装着した場合、フォーマット実行時にＨＤ画像もしくはＳＤ画像のいずれの画像を記録するかをユーザが選択する必要がある。
【００１１】
その際に、ユーザが選択した記録方式が現時点の記録方式と異なる場合は、選択された記録方式へ切り替えるための切替処理が発生する。前記のように切替処理が発生すると、その処理が終了するまでは記録を開始することができないので、速やかな記録を行う際の妨げになってしまう問題点があった。
本発明は以上のことを鑑みてなされたものであって、撮像装置が生成した映像信号をＳＤ規格またはＨＤ規格のように解像度の異なったいずれかの規格で記録媒体に記録する際の操作性を向上できるようにすることを目的としている。
【課題を解決するための手段】
【００１２】
本発明の撮像装置は、撮像手段で生成された映像信号を記録媒体に記録する記録モードとして、高精細映像信号を記録するＨＤ記録モードと標準解像度映像信号を記録するＳＤ記録モードとを備える撮像装置であって、前記記録媒体が取り出された場合に設定すべき記録モードとして、前記ＨＤ記録モードまたはＳＤ記録モードの何れかを任意に選択させるための解像度選択手段と、前記記録媒体の取り出し指示があった場合に、前記記録モードを、前記解像度選択手段により選択された記録モードに設定する解像度設定手段とを備えることを特徴とする。
また、本発明の撮像装置の他の特徴とするところは、撮像手段で撮像された映像から、解像度の異なる複数の映像信号を生成する映像信号生成手段と、前記解像度の異なる複数の映像信号のうちの何れかを任意に選択する解像度選択手段と、前記映像信号生成手段で生成された映像信号を記録媒体に記録する記録手段と、前記記録媒体の状態を取得する状態取得手段とを備えた撮像装置であって、前記記録媒体が取り外されたこと、あるいは記録媒体が装着されていないことが前記状態取得手段によって検出された場合に、前記基本解像度選択手段により選択された解像度の映像信号を生成するように前記映像信号生成手段を制御する記録モード制御手段を備えることを特徴とする。
また、本発明の撮像装置のその他の特徴とするところは、撮像手段で撮像された映像から、それぞれ解像度の異なる映像信号を生成する複数の映像信号生成手段と、前記複数の映像信号生成手段のうちから一つの映像信号生成手段を選択する選択手段と、前記複数の映像信号生成手段のうち、基本となる解像度の映像信号を生成する映像信号生成手段を選択する基本解像度選択手段と、前記基本解像度選択手段により選択された映像信号生成手段で生成された映像信号を記録する記録媒体と、前記選択手段で選択された映像信号生成手段で生成された映像信号を前記記録媒体に記録する記録手段と、前記記録媒体の状態を取得する状態取得手段とを備えた撮像装置であって、前記記録媒体が取り外されたこと、あるいは記録媒体が装着されていないことが前記状態取得手段により検出された場合に、前記選択手段は前記基本解像度選択手段により選択された解像度の映像信号を生成する映像信号生成手段を選択するように制御する記録モード制御手段を備えることを特徴とする。
また、本発明の撮像装置のその他の特徴とするところは、撮像手段で撮像された映像から映像信号を生成する映像信号生成手段と、前記映像信号生成手段によって生成された映像信号を、解像度の異なる複数の圧縮方式で圧縮する映像圧縮手段と、前記解像度の異なる複数の圧縮方式のうち、基本となる解像度の圧縮方式を選択する基本解像度選択手段と、前記映像圧縮手段によって圧縮された映像信号を記録する記録媒体と、前記選択手段で選択された映像圧縮手段により圧縮された映像信号を前記記録媒体に記録する記録手段と、前記記録媒体の状態を取得する状態取得手段とを備えた撮像装置であって、前記記録媒体が取り外されたこと、あるいは記録媒体が装着されていないことが前記状態取得手段により検出された場合に、前記基本解像度選択手段により選択された解像度の圧縮方式で映像信号を圧縮するように前記映像圧縮手段を制御する記録モード制御手段を備えることを特徴とする。
また、本発明の撮像装置のその他の特徴とするところは、撮像手段で撮像された映像から映像信号を生成する映像信号生成手段と、前記映像信号生成手段によって生成された映像信号を、異なる解像度の圧縮方式でそれぞれ圧縮する複数の映像圧縮手段と、前記複数の映像圧縮手段の中から一つの映像圧縮手段を選択する選択手段と、前記複数の映像圧縮手段の中から基本となる映像圧縮手段を選択する基本解像度選択手段と、前記映像圧縮手段により圧縮された映像信号を記録する記録媒体と、前記選択手段で選択された映像圧縮手段により圧縮された映像信号を前記記録媒体に記録する記録手段と、前記記録媒体の状態を取得する状態取得手段とを備えた撮像装置であって、前記記録媒体が取り外されたこと、あるいは記録媒体が装着されていないことが前記状態取得手段により検出された場合に、前記選択手段は前記基本解像度選択手段により選択された解像度の映像信号を生成する映像圧縮手段を選択するように前記選択手段を制御する記録モード制御手段を備えることを特徴とする。
【００１３】
本発明の撮像装置の制御方法は、撮像工程で生成された映像信号を記録媒体に記録する記録モードとして、高精細映像信号を記録するＨＤ記録モードと標準解像度映像信号を記録するＳＤ記録モードとを備える撮像装置の制御方法であって、前記記録媒体が取り出された場合に設定すべき記録モードとして、前記ＨＤ記録モードまたはＳＤ記録モードの何れかを任意に選択させるための解像度選択工程と、前記記録媒体の取り出し指示があった場合に、前記記録モードを、前記解像度選択工程において選択された記録モードに設定する解像度設定工程とを備えることを特徴とする。
また、本発明の撮像装置の制御方法のその他の特徴とするところは、前記ＳＤ記録モードにおいては、前記ＨＤ記録モードにおける記録フォーマットとは異なる記録フォーマットに従って初期化された前記記録媒体に対して前記標準解像度映像信号を記録し、装着された前記記録媒体が未フォーマット状態、前記高精細映像信号の記録フォーマットに従う初期化済み状態、前記標準解像度映像信号の記録フォーマットに従う初期化済み記録媒体の何れであるのかを判断する媒体種類判断工程と、前記装着された記録媒体が前記基本解像度設定工程において設定された記録モードにて記録すべき映像信号が記録できない状態であった場合に、その旨を警告する警告工程とを備えたことを特徴とする。
【００１４】
本発明のプログラムは、撮像工程で生成された映像信号を記録媒体に記録する記録モードとして、高精細映像信号を記録するＨＤ記録モードと標準解像度映像信号を記録するＳＤ記録モードとを備える撮像装置を制御する工程をコンピュータに実行させるプログラムであって、前記記録媒体が取り出された場合に設定すべき記録モードとして、前記ＨＤ記録モードまたはＳＤ記録モードの何れかを任意に選択させるための解像度選択工程と、前記記録媒体の取り出し指示があった場合に、前記記録モードを、前記解像度選択工程において選択された記録モードに設定する解像度設定工程とをコンピュータに実行させることを特徴とする。
【発明の効果】
【００１５】
本発明によれば、ＨＤ記録モードまたはＳＤ記録モードの何れを基本解像度の記録モードとして選択するのかユーザに選択させるようにした。これにより、複数のフォーマットで記録可能な記録媒体を装着する毎に、ユーザがフォーマットの選択やカメラモードの切替を行う必要を大幅に減少させることができ、ディスク交換時に、ユーザが不用意に切替操作を行うことを防止することができる。また、ユーザが基本の解像度として設定している解像度の記録モードでの撮像及び記録を速やかに再開することができる。
【発明を実施するための最良の形態】
【００１６】
（第１の実施形態）
以下、本発明の実施形態を用いて説明する。
図１は、光学ディスクを記録媒体とするディスクカムコーダの構成例を表したブロック図である。
【００１７】
図１において、１０１はレンズ、１０２は固体撮像素子であるＣＣＤ（Ｃｈａｒｇｅ Ｃｏｕｐｌｅｄ Ｄｅｖｉｃｅ）、１０３は撮像信号を映像信号にする映像信号処理回路である。
【００１８】
１０４は映像信号を表示装置あるいは出力端子へ出力する映像表示出力回路、１０５は映像出力端子、１０６は映像表示装置であるＬＣＤ（Ｌｉｑｕｉｄ Ｃｒｙｓｔａｌ Ｄｉｓｐｌａｙ）である。１０７は映像信号の圧縮方式（映像圧縮方式）を切り替える切替回路である。
【００１９】
１０８は第１の映像信号圧縮回路、１０９は第２の映像信号圧縮回路である。すなわち、本実施形態においては複数の映像圧縮手段を有している。そして、前記切替回路１０７は、複数の映像圧縮手段の中から一つの映像圧縮手段を選択する選択手段として機能している。１１０は前記映像圧縮手段により圧縮された映像信号を記録媒体へ記録する記録回路、１１１は本実施形態で使用する記録媒体である光学ディスク、１１２はメニュー画面操作キーである。１１３はディスクカムコーダのシステム制御を行うマイクロコンピュータ（マイコン）、１１４は光学ディスク１１１を所定のフォーマットで初期化する初期化回路、１１５は光学ディスク１１１の検出、情報を取得する記録媒体検出回路である。
【００２０】
前述のように構成された本実施形態のディスクカムコーダにおいて、レンズ１０１で結像した光はＣＣＤ１０２で光電変換されて撮像信号となる。この撮像信号は、映像信号処理回路１０３で種々の映像処理が施されて映像信号に変換される。すなわち、映像信号処理回路１０３が本実施形態のディスクカムコーダにおける映像信号生成手段として機能する。
【００２１】
また、前記映像信号生成手段として機能する映像信号処理回路１０３は、マイクロコンピュータ１１３からの指示に従い、ディスクカムコーダの状態表示や各種設定を行うための信号生成を行う。例えば、メニュー画面及び警告画面の表示用にＯＳＤ（Ｏｎ Ｓｃｒｅｅｎ Ｄｉｓｐｌａｙ）の信号生成を行う。映像信号処理回路１０３により生成された映像信号は、映像表示出力回路１０４及び切替回路１０７にも出力される。
【００２２】
映像表示出力回路１０４に入力された映像信号は、外部出力信号として映像表示出力回路１０４から映像出力端子１０５に与えられ、映像出力端子１０５を介して外部出力される。さらに、映像表示出力回路１０４はＬＣＤ１０６で映像表示を行うための制御も行う。
【００２３】
一方で、映像信号は切替回路１０７にも入力される。切替回路１０７はマイクロコンピュータ１１３からの指示に従い、入力した映像信号を第１の映像信号圧縮回路１０８と第２の映像信号圧縮回路１０９のいずれか一方に出力するように切替を行う。
【００２４】
第１の映像信号圧縮回路１０８と第２の映像信号圧縮回路１０９は異なる圧縮方式（映像圧縮方式）で映像信号を圧縮する処理を行うための回路である。第１の映像信号圧縮回路１０８の圧縮方式（映像圧縮方式）はＭＰＥＧ４−ＡＶＣ（Ｈ．２６４）方式であり、高精細（ＨＤ）映像信号の圧縮を行う。
【００２５】
それに対して、第２の映像信号圧縮回路１０９の圧縮方式（映像圧縮方式）はＭＰＥＧ２方式であり、標準解像度（ＳＤ）映像信号の圧縮を行う。本実施形態のディスクカムコーダにおいて、映像信号処理回路１０３から出力される映像信号はＨＤ映像信号に対応した信号である。また、第２の映像信号圧縮回路１０９は、信号の圧縮前にこのＨＤ映像信号の解像度を低下させ、ＳＤ映像信号へ変換（ダウンコンバート）するダウンコンバート回路１０９ａ、及び圧縮回路１０９ｂを含んでいる。
【００２６】
第１の映像信号圧縮回路１０８または第２の映像信号圧縮回路１０９により圧縮された映像信号は、記録回路１１０で光学ディスク１１１に記録される。記録回路１１０は、映像信号を所定の記録用データに変換する機能を有している。記録回路１１０において記録用データに変換された映像信号は、ピックアップ部（不図示）を介してレーザー光で光学ディスク１１１に記録される。
【００２７】
その際に、光学ディスク１１１を回転するスピンドルモーターとピックアップ部を駆動するトラッキングモーターの駆動制御を行うモータードライバ制御も記録回路１１０が行う。なお、スピンドルモーター、トラッキングモーター、モータードライバはいずれも不図示としている。
【００２８】
光学ディスク１１１は、記録時には光学ディスク１１１の記録層に照射されたレーザー光に応じた情報を記録する。一方、再生時には光学ディスク１１１の記録層へレーザー光を照射し、その反射光をピックアップ部で検出して情報を取り出す（光学ディスク１１１の構造は不図示）。
【００２９】
記録媒体検出回路１１５は、光学ディスク１１１のディスク情報を読み取り、マイクロコンピュータ１１３へ出力する。マイクロコンピュータ１１３は、その結果から光学ディスク１１１が装着されているか否かを判断する。また、光学ディスク１１１が装着されている場合にはフォーマット済みか否かを判断する。さらに、装着された光学ディスク１１１がフォーマット済みであれば、フォーマットの種類は何かを判断し、これら各種のディスク情報を取得する。
【００３０】
初期化回路１１４は、光学ディスク１１１をフォーマットする所定の初期化データを記録回路１１０に出力する。記録回路１１０は、初期化データを光学ディスク１１１に記録し、フォーマットを行う。フォーマットの種別の指示はマイクロコンピュータ１１３から初期化回路１１４に対して行われ、種別に応じて異なるフォーマットがなされる。
【００３１】
メニュー画面操作キー１１２は、映像出力端子１０５あるいはＬＣＤ１０６にＯＳＤ表示されたメニュー画面を操作し、項目の選択、決定を行うための入力キーである。キーの操作情報はマイクロコンピュータ１１３へ入力される。メニュー画面はＧＵＩ（Ｇｒａｐｈｉｃａｌ Ｕｓｅｒ Ｉｎｔｅｒｆａｃｅ）で構成され、キー操作だけでユーザが容易に操作できるようになっている。
【００３２】
マイクロコンピュータ１１３は、ディスクカムコーダのシステム制御を行うためのコンピュータであり、制御コードや制御データからなるＲＯＭと各種情報を一時的に記憶するためのＲＡＭを備えている（ＲＯＭ、ＲＡＭの構成は不図示）。そして、メニュー画面操作キー１１２の操作に応じてメニュー画面の表示制御を行い、ＯＳＤデータを生成する。
【００３３】
マイクロコンピュータ１１３により生成されたＯＳＢデータは、映像信号処理回路１０３へ送られ、メニュー画面が描画される。また、マイクロコンピュータ１１３は、操作キー１１２の操作により、ＳＤ信号の記録モードと、ＨＤ信号の記録モードのいずれかに切り替える指示を切替回路１０７へ出力する。さらには、初期化回路１１４を制御して光学ディスク１１１のフォーマット処理の制御も行う。
【００３４】
本実施形態では、光学ディスク１１１をイジェクトした際に、ＨＤ信号とＳＤ信号の何れかの撮像モードに自動的に切り替えるように構成している。そして、ユーザは、ＨＤ信号とＳＤ信号の何れの撮像モードに切り替えるかを任意に選択することができる。以下、自動的に切り替える撮像モードにおける信号の解像度を基本解像度という。
【００３５】
そして、記録媒体が取り出された場合に、前記映像信号を前記記録媒体に記録する記録モードとして、ＨＤ記録モード（最大解像度の記録モード）またはＳＤ記録モード（標準解像度の記録モード）の何れを基本解像度の記録モードとして選択するかユーザに選択させるようにしている。この選択を行うための基本解像度選択手段として、前記メニュー画面操作キー１１２及びマイクロコンピュータ１１３が機能している。
【００３６】
また、マイクロコンピュータ１１３、切替回路１０７、第１の映像信号圧縮回路１０８及び第２の映像信号圧縮回路１０９により基本解像度設定手段が構成されている。この基本解像度設定手段により、前記記録媒体が取り出された場合に、前記基本解像度選択手段により選択された基本解像度に記録モードが設定されるようになされている。
【００３７】
前述のように構成された本実施形態のディスクカムコーダにおいて、光学ディスク１１１が取り出された場合の動作について、最初に説明する。本実施形態において、光ディスク１１１は、不図示の装着、排出用の機構により、ユーザが容易に、装着、排出可能である。図２は、光学ディスク１１１を取り出した時のマイクロコンピュータ１１３の動作例を示すフローチャートである。
【００３８】
図２は、光学ディスク１１１を取り出した時のマイクロコンピュータ１１３の動作例を示すフローチャートである。
ステップＳ２０１では、動画記録か静止画記録のどちらの動作モードかを判断して、記録動作モードが動画記録モードであるか否かの情報を取得する。この判断の結果、静止画記録の動作モードであれば、そのまま終了する。また、動画記録の動作モードであればステップＳ２０２に進む。
【００３９】
ステップＳ２０２では、記録媒体検出回路１１５から得られたディスク情報から光学ディスク１１１が取り出されたか否かを検出する。すなわち、記録媒体検出回路１１５により、本実施形態における光学ディスク１１１（記録媒体）の状態取得手段が構成されている。前記状態取得手段の検出の結果、光学ディスク１１１が取り出されていなければそのまま終了する。また、前記状態取得手段が光学ディスク１１１の取り出しを検出すればステップＳ２０３へ進む。
【００４０】
ステップＳ２０３では、現在の記録モードの解像度がユーザの設定した基本解像度か否かの情報を取得して判断する。この判断の結果、現在の記録モードが基本解像度であれば、記録モードの切替は行わないためそのまま終了する。一方、現在の記録モードが基本解像度と異なる記録モードであれば、記録モードの切替を行うためにステップＳ２０４へ進む。
【００４１】
ステップＳ２０４では、記録モードをユーザの設定した基本解像度への切り替える処理を行う。基本解像度への切り替え処理は、マイクロコンピュータ１１３から切替回路１０７に対して指示して行う。例えば、ユーザの選択した基本解像度がＨＤ記録の場合、ＨＤ映像信号の圧縮回路として第１の映像信号圧縮回路１０８を選択する指示を出力して行う。
【００４２】
前述の処理を行うことにより、光学ディスク１１１の取り出し時にユーザの選択した基本解像度の記録モードであれば、その記録モードを維持する。一方、基本解像度と異なる解像度の記録モードであった場合は、ディスクカムコーダの動作を基本解像度の記録モードに自動的に切り替える処理が実行される。
【００４３】
次に、未フォーマットの光学ディスク（ブランクディスク）、ＨＤ用フォーマット済み光学ディスク（ＨＤ追記ディスク）、ＳＤ用フォーマット済み光学ディスク（ＳＤ追記ディスク）が本実施形態のディスクカムコーダに装着された場合について説明する。この場合、基本解像度をＨＤ記録と設定していた場合に、マイクロコンピュータ１１３が行う動作について、図３のフローチャートと図４に示すメニュー及び警告画面を用い説明する。
【００４４】
ブランクディスクを本実施形態のディスクカムコーダに装着すると、まず、ステップＳ３０１において、記録媒体検出回路１１５から得られたディスク情報から光学ディスク１１１が取り付けられたか否かを検出する。この検出の結果、光学ディスク１１１が取り付けられていれば、ステップＳ３０２へ進む。
【００４５】
ステップＳ３０２では、記録媒体検出回路１１５から取得したディスク情報から、取り付けられた光学ディスク１１１の種類を判断する。この判断は、マイクロコンピュータ１１３により構成される媒体種類判断手段により行われる。前記媒体種類判断手段は、記録媒体が装着された際に、前記装着された記録媒体が未フォーマットの光学ディスク、ＨＤ用フォーマット済み光学ディスク、ＳＤ用フォーマット済み光学ディスクの何れであるのか判断する。媒体種類判断手段の判断の結果、ＨＤ追記ディスクが取り付けられた場合は、何も処理を行う必要が無いのでステップＳ３０４へ進む。また、ＳＤ追記ディスクであれば、ステップＳ３０５へ進み、ブランクディスクであれば、ステップＳ３０３へ進む。
【００４６】
ステップＳ３０３では、取り付けられたブランクディスクに対して、ＨＤ記録用のフォーマット処理を行う。その際に、マイクロコンピュータ１１３からの指示で初期化回路１１４からＨＤ記録用フォーマットデータが記録回路１１０を介してブランクディスクに書き込まれる。ブランクディスクのフォーマット処理が終了すると、ステップＳ３０３からステップＳ３０４へ進む。
【００４７】
一方、ステップＳ３０２からステップＳ３０５に進んだ場合、マイクロコンピュータ１１３は、映像信号処理回路１０３を介して映像出力端子１０５、ＬＣＤ１０６に対し、記録モードをＳＤへ切り替えるための画面の表示を行う（図４ａ）。
【００４８】
この表示が行われると、ユーザはメニュー画面操作キー１１２の操作により、ＳＤ記録に切り替えるか否かを選択する。ユーザの選択結果に応じて選択情報が生成される。選択情報が生成されればステップＳ３０６へ進む。
【００４９】
ステップＳ３０６では、ステップＳ３０５で生成されたユーザの選択結果である選択情報から、記録モードとしてＨＤ記録モードを維持するか、ＳＤ記録モードへの切替を行うかを判断する。この判断の結果、ＨＤ記録モードを維持する場合は、ステップＳ３０７へ進む。また、ＳＤ記録モードへ切り替わる場合は、ステップＳ３０９へ進む。
【００５０】
ステップＳ３０７では、映像信号処理回路１０３を介して映像出力端子１０５、ＬＣＤ１０６に対し、ＳＤ追記ディスクへはＨＤ記録ができない旨を報知してユーザに警告するための警告表示処理を行う（図４ｂ）。ユーザの操作あるいは一定時間表示を行った後は警告表示（報知表示）を終了し、ステップＳ３０８へ進む。
【００５１】
ステップＳ３０８では、ステップＳ３０７で生成されたユーザの選択結果である選択情報から、ＨＤ記録用の初期化を行うか、そのまま待機状態に移行するかの判断を行う。この判断の結果、ＨＤ記録用の初期化を行う場合は、ステップＳ３０３に進む。そのまま待機の場合は、ステップＳ３０４に進む。
【００５２】
ステップＳ３０６においてＳＤ記録モードのままと選択されたために、ステップＳ３０９に進んだ場合には、記録モードをＨＤ記録モードからＳＤ記録モードへ切り替える、ＳＤ記録モード切替処理を行う。ＳＤ記録モード切替処理は、マイクロコンピュータ１１３から切替回路１０７に対して、ＳＤ規格の映像信号を出力するために、第２の映像信号圧縮回路１０９を選択する指示を出す。切替回路１０７による切替処理が終了するとステップＳ３０４へ進む。
【００５３】
ステップＳ３０４は、録画動作の待機処理である。ユーザが記録開始キー（不図示）を操作すると、選択所定の記録モードで光学ディスク１１１への映像、音声記録を開始する。ただし、本体の記録モードとディスクのフォーマットから判断される記録モードが異なる場合は記録を禁止する。
【００５４】
図５は、基本記録モードをユーザに選択させる際の選択画面の一例を示す図である。図５に示したように、メニューの一項目としてユーザに選択させ、設定値をＲＡＭあるいはＲＯＭに記録する。
【００５５】
前述の処理により、基本解像度をＨＤ記録モードと設定していた場合に、ディスク取り出しでＨＤ記録モードとなった後、ＨＤ追記ディスクが装着された場合は、そのままＨＤ記録モードの記録待機状態となる。また、ブランクディスクが装着された場合は自動的にＨＤ記録のディスクフォーマットを実行し、記録待機状態となる。これらの種類のディスクの装着に関しては、ユーザが記録モードやフォーマット実行のためになんら操作することなく待機状態まで自動的に処理が実行される。
【００５６】
一方、ＳＤ追記ディスクが装着された場合は、ユーザに対してディスクフォーマットと記録モードの不一致を報知するための警告表示や、モード切替を促すメニュー表示が実行される。その結果、光学ディスク１１１の入れ替えの際、基本解像度の記録モードで記録の可能なディスクであれば、ユーザが設定操作を行わなくても済む。
【００５７】
これにより、光学ディスク１１１を交換した場合においても、記録の再開を迅速に行うことが可能である上に、不要なモード切替操作による誤動作や不適切な動作設定となることを防止することができる。
【００５８】
なお、本実施形態では、記録する画像信号として、高精細画像信号と標準解像度画像信号の二つの画像信号のうちの一方を選択する構成について説明した。
これ以外にも、三種類以上の解像度の画像信号を選択的に記録可能な装置に対しても本発明を適用可能である。その場合、記録媒体の取り出し指示に応じて、最も解像度が高い画像信号の記録モードに設定するよう構成する。
【００５９】
（本発明に係る他の実施形態）
前述した本発明の実施形態における撮像装置を構成する各手段、並びに撮像装置の制御方法の各ステップは、コンピュータのＲＡＭやＲＯＭなどに記憶されたプログラムが動作することによって実現できる。このプログラム及び前記プログラムを記録したコンピュータ読み取り可能な記憶媒体は本発明に含まれる。
【００６０】
また、本発明は、例えば、システム、装置、方法、プログラムもしくは記憶媒体等としての実施形態も可能である。具体的には、複数の機器から構成されるシステムに適用してもよいし、また、一つの機器からなる装置に適用してもよい。
【００６１】
なお、本発明は、前述した実施形態の機能を実現するソフトウェアのプログラム（実施形態では図２、図３に示すフローチャートに対応したプログラム）を、システムあるいは装置に直接されてもよい。あるいは遠隔から供給し、そのシステムあるいは装置のコンピュータが前記供給されたプログラムコードを読み出して実行することによっても達成される場合を含む。
【００６２】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００６３】
その場合、プログラムの機能を有していれば、オブジェクトコード、インタプリタにより実行されるプログラム、ＯＳに供給するスクリプトデータ等の形態であってもよい。
【００６４】
プログラムを供給するための記憶媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷなどである。また、磁気テープ、不揮発性のメモリカード、ＲＯＭ、ＤＶＤ（ＤＶＤ−ＲＯＭ，ＤＶＤ−Ｒ）なども含む。
【００６５】
その他、プログラムの供給方法としては、クライアントコンピュータのブラウザを用いてインターネットのホームページに接続し、前記ホームページから本発明のコンピュータプログラムそのものをダウンロードすることによっても供給できる。もしくは、圧縮され自動インストール機能を含むファイルをハードディスク等の記憶媒体にダウンロードすることによっても供給できる。
【００６６】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００６７】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００６８】
また、コンピュータが、読み出したプログラムを実行することによって、前述した実施形態の機能が実現される。その他、そのプログラムの指示に基づき、コンピュータ上で稼動しているＯＳなどが、実際の処理の一部または全部を行い、その処理によっても前述した実施形態の機能が実現され得る。
【００６９】
さらに、記憶媒体から読み出されたプログラムが、コンピュータに挿入された機能拡張ボードやコンピュータに接続された機能拡張ユニットに備わるメモリに書き込まれる。そして、その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００７０】
【図１】本発明の実施形態を示し、ディスクカムコーダの構成を表す図である。
【図２】本発明の実施形態を示し、ディスクの取り出し時の動作例を示すフローチャートである。
【図３】本発明の実施形態を示し、ディスクの装着時の動作例を示すフローチャートである。
【図４】本発明の実施形態を示し、ＳＤ追記ディスク装着時の警告画面を示す図である。
【図５】本発明の実施形態を示し、基本記録モード選択画面の一例を示す図である。
【符号の説明】
【００７１】
１０１  レンズ
１０２  ＣＣＤ
１０３  映像信号処理回路
１０４  映像表示出力回路
１０５  映像出力端子
１０６  ＬＣＤ
１０７  切替回路
１０８  第１の映像信号圧縮回路
１０９  第２の映像信号圧縮回路
１０９ａ  ダウンコンバート回路
１０９ｂ  圧縮回路
１１０  記録回路
１１１  光学ディスク
１１２  メニュー画面操作キー
１１３  マイクロコンピュータ
１１４  初期化回路
１１５  記録媒体検出回路
【図１】
2008160185.tif 000003
【図２】
2008160185.tif 000004
【図３】
2008160185.tif 000005
【図４】
2008160185.tif 000006
【図５】
2008160185.tif 000007